(57)【特許請求の範囲】
【請求項１】
少なくともいずれか一方を前後方向に移動可能とした左右一対の定着部成形型枠部と、
頂版部成形型枠部と、側板および前記各成形型枠部の小口板からなり、前記頂版部成形型
枠部を挟んで、側板，定着部小口板および定着部底版をそれぞれ備えた前記両定着部成形
型枠部を配設するとゝもに、該両定着部成形型枠部から前記頂版部成形型枠部方向にそれ
ぞれ延出する前記両定着部底版が、前記頂版部成形型枠部に設置した頂版部底版の上面と
面接してその上に配設され、更に前記両定着部底版に跨がってその上面と面接する頂版部
小口板を、一方を前後方向に移動させた前記一対の両定着部成形型枠部に任意の角度で固
定し設置する構成としたことを特徴とする斜角頂版ブロックの製造用型枠。
【請求項２】
前記頂版部小口板は、直状の小口板本体と、該小口板本体の両端部に着脱可能に装着し
た平面視が台形状の小口板斜角体からなる構成としたことを特徴とする請求項１記載の斜
角頂版ブロックの製造用型枠。
【請求項３】
前記左右一対の両定着部成形型枠部を、互いに離間する左右方向および互いに反対向き
の前後方向にそれぞれ移動可能となるように構成したことを特徴とする請求項１又は２記
載の斜角頂版ブロックの製造用型枠。
【請求項４】
前記頂版部成形型枠部を回転可能な架台上に設置するとゝもに、該頂版部成形型枠部に
設置した前記頂版部底版を平面形状が上下方向に長い縦長方形状としたことを特徴とする
請求項１，２又は３記載の斜角頂版ブロックの製造用型枠。
【発明の詳細な説明】
【技術分野】
【０００１】
本発明は斜角頂版ブロック、詳しくは、水路や道路に対し斜めに立体交差する斜角横断
の架橋を構築する際に使用する分割型の斜角ボックスカルバートにあって、その頂版部の
接続部端面を任意角度に形成可能な斜角頂版ブロックの製造用型枠に関する。
【背景技術】
【０００２】
図１２に示すように、既設の水路や道路Ｗの方向に対して斜めに交差する斜角横断の架
橋Ｓを道路Ｒ1 ，Ｒ2 の延長線上に構築するような場合、一種類の斜角ボックスカルバー
ト５０のみを使用し、斜角横断の架橋Ｓを形成することも行われている。すなわち、左右
の接合部端面５０ａをボックスカルバート５０の連結方向の軸線ａと直交する軸線ｂに対
し傾斜（傾斜角度θ）させて形成した平面視が平行四辺形の斜角ボックスカルバート５０
で斜角横断の架橋Ｓを形成する。
【０００３】
上記のような構成とすることで、斜角横断の架橋Ｓは全て一種類のプレキャストの斜角
ボックスカルバート５０で構築できるといった利点はある。しかし、側壁を含む緊張材に
よる定着部となる接合部端面５０ａは垂直軸線ｂに対し傾斜（傾斜角度θ）しているため
に、傾斜する接合部端面５０ａにジャッキ取付用の凹部５１を形成し、該凹部５１の底壁
にＰＣ鋼棒５２の配設軸（連結方向の軸線ａ）に対して直交するジャッキ取付用の反力面
５１ａを形成する必要がある。
【０００４】
更には、上記のような構成からなるブロック５０，５０を使用して斜角横断の架橋Ｓを
施工する場合には、その接合部端面５０ａを接合させながら複数個平行に並べて配設する
とゝもに、各ブロック５０の定着部に形成した連結方向の軸線ａに沿う貫通孔内にＰＣ鋼
棒５２を挿通し、該ＰＣ鋼棒５２の一端をジャッキ等で引っ張って緊張力を施した際に、
各ブロック５０，５０の接合部は傾斜する端面５０ａで向かい合うことから、相互に均等
な緊張力を施すことが困難であるとゝもに、接合部端面５０ａ，５０ａがスライドしてズ
レが発生するといった問題点がある。
【０００５】
一方、斜角ボックスカルバート製造用の型枠としては、中間中子と左右端部中子と左右
底面部材と左右側板と前後妻板及び端部妻板からなり、調整中子と前後左右又は旋回した
自由位置において、固定可能な門型ブロック用型枠（特開平６ー１２３１２７号公報）、
左右端部中子と左右側板と上部妻板と水路壁可変製造用型枠からなり、左右端部中子を任
意角度に旋回して任意角度の左右水路壁を有する門形ブロックを形成する水路壁可変角製
造用型枠（特開２００４−１４２１５９号公報）及びフレーム上に設けた中子端部と鋭角
状端部を有する側板２からなる左右端部中子と調整中子と前後妻板と前後端部妻板からな
り、調整中子と左右端部中子に妻板と端部妻板を装着して所要幅員と左右の水路壁が任意
角度に形成可能な門形ブロック製造用形枠（特開２００６−５１７４４号公報）等が知ら
れている。
【０００６】
【特許文献１】特開平６ー１２３１２７号公報
【特許文献２】特開２００４−１４２１５９号公報
【特許文献３】特開２００６ー５１７４４号公報
【０００７】
しかし、前記特開平６ー１２３１２７号公報等によって開示された門形ブロック製造用
型枠では、自由度が高い反面、多数の型枠部材を組み合わせた複雑な機構によって構成さ
れている。従って、実際上は製造現場での調整が難しく、作業時間が長いなどの問題があ
る。また、側壁，頂版とも全て異なった製品をその都度製造することとなり、設計や製造
管理上問題も多い。また、従来一般に、製品断面幅を変えたり斜切りにする際には、内幅
拡幅用のアタッチメントを取り付けたり、全幅小口版をその都度製作してセットする必要
があり、製作コストが過剰とならざるを得なかった。
【発明の開示】
【発明が解決しようとする課題】
【０００８】
本発明は、上記のような従来の問題点を解決した斜角ボックスカルバート、即ち、図１
３及び図１４に示すように、定着部５３の定着部端面５４を斜角ボックスカルバート５５
の連結方向ａに対し垂直な軸線ｂと同方向の垂直な面で形成することで、ＰＣ鋼棒５２に
緊張力を付与して連結方向に締め付ける際、定着部端面５４に均等な緊張力を付与するこ
とができ、更には緊張力を付与する際に、傾斜する頂版部５６の接合部端面５７がスライ
ドしてズレたりすることのない斜角ボックスカルバート５５であり、本発明にあっては、
この斜角ボックスカルバート５５の組み立て構成部材である斜角頂版ブロックにあって、
その頂版部５６の接合部端面５７を任意角度に自由に成形可能な斜角頂版ブロック５５Ａ
の製造用型枠を提供することを目的としたものである。
【課題を解決するための手段】
【０００９】
上記の目的を達成するため、本願の請求項１に係る発明は、少なくともいずれか一方を
前後方向に移動可能とした左右一対の定着部成形型枠部と、頂版部成形型枠部と、側板お
よび前記各成形型枠部の小口板からなり、前記頂版部成形型枠部を挟んで、側板，定着部
小口板および定着部底版をそれぞれ備えた前記両定着部成形型枠部を配設するとゝもに、
該両定着部成形型枠部から前記頂版部成形型枠部方向にそれぞれ延出する前記両定着部底
版が、前記頂版部成形型枠部に設置した頂版部底版の上面と面接してその上に配設され、
更に前記両定着部底版に跨がってその上面と面接する頂版部小口板を、一方を前後方向に
移動させた前記一対の両定着部成形型枠部に任意の角度で固定し設置する構成としたこと
を特徴とする。
【００１０】
また上記の目的を達成するため、本願の請求項２に係る発明は、前記頂版部小口板は、
直状の小口板本体と、該小口板本体の両端部に着脱可能に装着した平面視が台形状の小口
板斜角体からなる構成としたことを特徴とする。
【００１１】
そして、上記の目的を達成するため、本願の請求項３に係る発明は、前記左右一対の両
定着部成形型枠部を、互いに離間する左右方向および互いに反対向きの前後方向にそれぞ
れ移動可能となるように構成したことを特徴とし、更に、上記の目的を達成するため、本
願の請求項４に係る発明は、前記頂版部成形型枠部を回転可能な架台上に設置するとゝも
に、該頂版部成形型枠部に設置した前記頂版部底版を平面形状が上下方向に長い縦長方形
状としたことを特徴とするものである。
【発明の効果】
【００１２】
上記のように、請求項１に記載の発明とすることで、斜角頂版ブロックの傾斜角、すな
わち、頂版部の接合部端面の傾斜角度は、一方の定着部成形型枠部を他方と相対的に離れ
る前後方向に移動させ、対峙する両定着部成形型枠部に前記頂版部小口板を取り替えるだ
けの簡単な作業で容易に変更することができる。また、請求項２に記載の発明とすること
で、傾斜角度の異なる複数の小口板斜角体を用意しておけば、これを通常のブロックの成
形に共用できる直状の小口板本体に固定するだけで済む。すなわち、頂版部の接合部端面
の傾斜角度の変更および長さは小口板本体を取り替えることなく、該小口板本体の両端部
に小口板斜角体を装着することで自在に対応でき、製作コストの低減が図られる。
【００１３】
さらに、請求項３に記載の発明とすることで、斜角頂版ブロックの長さや幅は成形用型
枠全体を取り替えることなく、左右一対の前記定着部成形型枠部を互いに離間する左右方
向に移動させ、および前後一対の両頂版部小口板の取付け位置を前後方向に移動調整する
ことで容易に変更できる。
【００１４】
また、請求項４に記載の発明は、成形装置全体を取り替えることなく、頂版部成形型枠
部を所望角度だけ回転させることで対応することができる。すなわち、前記頂版部成形型
枠部を所望角度だけ回転させることで、頂版部底板の左右方向の面積を変化させることが
でき、斜角頂版ブロックの長さおよび幅の変更に自在に対応することができる。
【発明を実施するための最良の形態】
【００１５】
以下、本発明を図１〜図１１に示す実施形態に基づいて詳細に説明する。図において、
Ｇはチャンネル型材の上に鉄板を敷設することで形成した水平な床で、その中央に配設し
たキャスター２付きの架台１の上に頂版部成形型枠部Ａが設置されている。この頂版部成
形型枠部Ａの左右両側には、同一構造とした一対の定着部成形型枠部Ｂ，Ｂがそれぞれボ
ールベアリング３付きのフレーム４に設置されており、各定着部成形型枠部Ｂは床Ｇの上
を前後方向および左右方向に移動可能な構成としている。
【００１６】
Ａは頂版部成形型枠部で、この頂版部成形型枠部Ａは図１４に示す斜角頂版ブロック５
５Ａの頂版部５６を成形するための型枠の一部であり、前記架台１の下面にあって中心部
に装着したシャフトカラー５と前記床Ｇに装着したピン６との嵌合による係合により連結
されているもので、前記架台１はこの係合部５，６を中心にして回転可能となるように装
着されている。７は前記架台１の上面に設置したクロスする二本の支持部材で、この支持
部材７，７の上に平面視が縦長方形状の頂版部底版８が設置されている。
【００１７】
Ｂ，Ｂは左右一対の定着部成形型枠部で、同一構造ものであり、この定着部成形型枠部
Ｂにより、図１４に示す斜角頂版ブロック５５Ａの定着部５３，５３を成形するための型
枠の一部であり、図１において、前面側には、斜角頂版ブロック５５Ａの定着部端面５４
を形成するための定着部小口板１０が、外面側には前記斜角頂版ブロック５５Ａの外側の
側面を形成するための側板１１がそれぞれ設置されている。
【００１８】
１２は前記側板１１を内方向および外方向へ（図１では左右方向）移動させる移動機構
で、図示しない操作機構を駆動することで、前記斜角頂版ブロック５５Ａの脱型時に前記
側板１１，１１をそれぞれ外方向へスライドさせ、成形時には内方向へそれぞれスライド
させる構成としている。なお、図中１３は定着部成形型枠部Ｂの中子で、縦フレーム４Ａ
の上端部に回動可能となるように枢着されており、脱型時に操作機構を駆動することで該
中子１３を前記枢着を中心として内方に回動させる構成としてある。
【００１９】
１４，１４は前記両定着部成形型枠部Ｂ，Ｂの内端側からそれぞれ突出する定着部底版
で、前記頂版部成形型枠部Ａの方向にそれぞれ延出しており、両定着部成形型枠部Ｂ，Ｂ
からそれぞれ延出している前記定着部底版１４，１４の下面は頂版部成形型枠部Ａの前記
頂版部底版８の上面と密着した状態で上下に重なっており、両定着部成形型枠部Ｂ，Ｂが
移動する際にその定着部底版１４，１４は前記頂版部底版８と面接した状態でその上面を
摺動して移動できる構成としてある。
【００２０】
１６は前記頂版部成形型枠部Ａの上部にあって、前記定着部底版１４，１４の上面と密
着した状態で設置した頂版部小口板で、図１４に示す斜角頂版ブロック５５Ａの頂版部端
面５７の部分を形成するための型枠部材である。この頂版部小口板１６は、図示の実施例
では、他のブロック成形にも共用できる直状の小口板本体１７と、斜角頂版ブロック５５
Ａの前記頂版部端面５７の傾斜角度によって選択した平面視が台形状の小口板斜角体１８
とから構成されており、このような構成からなる頂版部小口板１６の両端部をそれぞれ対
峙する両定着部成形型枠部Ｂ，Ｂの定着部小口板１０，１０と連結することで前記頂版部
成形型枠部Ａが構成されている。
【００２１】
上記のような構成ＡおよびＢ等からなる型枠を使用し、図１４に示すような斜角頂版ブ
ロック５５Ａを成形する場合には、頂版部５６の接合部端面５７が傾斜することなく定着
部端面５４と同一の平面で形成されている通常の頂版ブロックを形成する場合に設置した
図１および図２に示す状態から、小口板本体１７の両端を定着部成形型枠部Ｂ，Ｂの定着
部小口板１０，１０と連結している結合部から外し、図３にあっては、右側の定着部成形
型枠部Ｂを下方（矢印方向）へ、左側の定着部成形型枠部Ｂを上方（矢印方向）へそれぞ
れ移動させる。
【００２２】
つぎに、所望の頂版部小口板１６、すなわち、直状の小口板本体１７の両端に、斜角頂
版ブロック５５Ａの前記接合部端面５７の傾斜角度によって選択した平面視が台形状の小
口板斜角体１８を固定した頂版部小口板１６を、図３において、前後にずれて対峙する両
定着部成形型枠部Ｂ，Ｂ間に配置し、前記頂版部小口板１６の両端を両定着部成形型枠部
Ｂ，Ｂの定着部小口板１０，１０とそれぞれ連結する。
【００２３】
このとき、頂版部成形型枠部Ａに設置した前記頂版部底版８の上には、左右一対の定着
部成形型枠部Ｂ，Ｂから延出している両定着部底版１４，１４が密着した状態で重なり合
っており、更に両定着部底版１４，１４の上を跨いで前記定着部成形型枠部Ｂ，Ｂの定着
部小口板１０，１０にその両端を連結した頂版部小口板１６は、その下面が前記両定着部
底版１４，１４の上面と密着した状態で装着されている。
【００２４】
前記型枠Ａ，Ｂを図３に示す状態にセットした後、型枠の上方からコンクリートを充填
し、振動締め硬め等の作業を行なう。そして、図５に示すように、図示しない操作機構を
駆動することで、フレーム４により支持されている前記側板１１をそれぞれ外方向へスラ
イドさせるとゝもに、縦フレーム４Ａの上端部に回動可能となるように枢着されている中
子１３を操作機構を駆動することで枢着部を中心として内方に回動させ、脱型することで
製品（図１４の斜角頂版ブロック５５Ａ）を得る。なお、図３に示す型枠での成形品と図
４に示す型枠による成形品では、頂版部５６の接合部端面５７の傾斜する方向が逆のもの
であり、その他の構造は図３に示す型枠での成形品と同じである。
【００２５】
図６及び図７は、成形するブロックの長さ（図では左右方向の長さ）が図３〜図５に示
すものより長い製品を、上記のような同じ構成の型枠Ａ，Ｂを使用して成形する場合の実
施例であり、図６は図１に相当する正面図であり、図７は図３及び図４に相当する平面図
である。そこで、図２に示す型枠の設置状態から図６および図７に示すように、左右の定
着部成形型枠部Ｂ，Ｂをそれぞれ左右方向に移動させ、中央の頂版部成形型枠部Ａを架台
１の下面にあって中心部に装着したシャフトカラー５と前記床Ｇに装着したピン６との嵌
合による係合部５，６を中心にして９０°回転させる。
【００２６】
前記頂版部成形型枠部Ａを９０°回転（矢印方向）させることで、該頂版部成形型枠部
Ａに設置した前記頂版部底版８は縦長方形から横長方形に変位し、左右方向に長い頂版部
底版８に変更される。このとき、この頂版部底版８の上には、左右一対の定着部成形型枠
部Ｂ，Ｂから延出している両定着部底版１４，１４は、その先端部が前記頂版部底版８の
上面と密着した状態で互いに離れた位置にあり、型枠Ｂ，型枠Ａ，型枠Ｂの全長（左右方
向）は図３に示す状態にセットしたものより長い物となる。
【００２７】
この状態で、図８にあっては、前後の両頂版部小口板１６，１６を両定着部成形型枠部
Ｂ，Ｂ間に配置し、その両端を両定着部成形型枠部Ｂ，Ｂの定着部小口板１０，１０とそ
れぞれ連結するすることで、図１４に示す頂版部５６の両接合部端面５７がそれぞれ傾斜
した斜角頂版ブロック５５Ａを成形することができる。また、図９および図１０にあって
は、前後の両頂版部小口板１６，１６のうち一方（図９では上方，図１０では下方）にの
み頂版部小口板をセットすることで、頂版部５６の一方の接合部端面５７のみが傾斜した
斜角頂版ブロック５５Ａ（図１４参照）を成形することができる。
【００２８】
本発明において、前後にずれて対峙する左右一対の定着部成形型枠部ＢおよびＢのずれ
の大きさを、図３及び図４に示す状態のものよりも更に大きなものとする場合には、図２
に示す型枠の設置状態から図７に示すように、左右の定着部成形型枠部Ｂ，Ｂをそれぞれ
左右方向に移動させる。つぎに、図１１に示すように、中央の頂版部成形型枠部Ａを架台
１の下面にあって中心部に装着したシャフトカラー５と前記床Ｇに装着したピン６との嵌
合による係合部５，６を中心にして左方向（矢印方向）へ約２５°回転させる。
【００２９】
頂版部成形型枠部Ａを約２５°回転させることで、該頂版部成形型枠部Ａに設置した前
記頂版部底版８は縦長方形から右肩上がりの斜め長方形に変位する。そこで、斜め長方形
に変更された前記頂版部底版８の上に、左右一対の定着部成形型枠部Ｂ，Ｂから延出して
いる両定着部底版１４，１４がそれぞれ載るよう微調整しながら、左右の定着部成形型枠
部Ｂ，Ｂをそれぞれ前後方向に移動させる。すなわち、図１１に示すように、右側の定着
部成形型枠部Ｂを上方（矢印方向）へ、左側の定着部成形型枠部Ｂを下方（矢印方向）へ
それぞれ移動させる。
【００３０】
そして、前後の両頂版部小口板１６，１６を、前後に変位させた前記左右一対の両定着
部成形型枠部Ｂ，Ｂ間に配置し、その両端を両定着部成形型枠部Ｂ，Ｂの定着部小口板１
０，１０とそれぞれ連結するすることで、図３及び図４に示す状態のものよりも左右一対
の定着部成形型枠部ＢおよびＢの前後方向のずれが更に大きな図１４に示す斜角頂版ブロ
ック５５Ａを成形することができる。
【図面の簡単な説明】
【００３１】
【図１】本発明に係る斜角頂版ブロック製造用型枠の正面図である。
【図２】同型枠の平面図である。
【図３】同型枠の第１形態の作用説明平面図である。
【図４】同型枠の第２形態の作用説明平面図である。
【図５】同型枠の脱型時の作用説明正面図である。
【図６】同型枠の第３形態の作用説明正面図である。
【図７】図６の平面図である。
【図８】同型枠の第４形態の作用説明平面図である。
【図９】同型枠の第５形態の作用説明平面図である。
【図１０】同型枠の第６形態の作用説明平面図である。
【図１１】同型枠の第７形態の作用説明平面図である。
【図１２】従来の斜角頂版ブロックの施工状態を示す説明平面図である。
【図１３】本発明に係る型枠で成形した斜角頂版ブロックの施工状態を示す説明平面図である。
【図１４】同型枠で成形した斜角頂版ブロックの斜視図である。
【符号の説明】
【００３２】
Ａ  頂版部成形型枠部
Ｂ  定着部成形型枠部
１  架台
２  キャスター
３  ボールベアリング
４  フレーム
５  シャフトカラー
６  ピン
７  支持部材
８  頂版部底版
１０  定着部小口板
１１  側板
１４  定着部底版
１６  頂版部小口板
１７  小口板本体
１８  小口板斜角体
【図１】
0004803842.tif 000002
【図２】
0004803842.tif 000003
【図３】
0004803842.tif 000004
【図４】
0004803842.tif 000005
【図５】
0004803842.tif 000006
【図６】
0004803842.tif 000007
【図７】
0004803842.tif 000008
【図８】
0004803842.tif 000009
【図９】
0004803842.tif 000010
【図１０】
0004803842.tif 000011
【図１１】
0004803842.tif 000012
【図１２】
0004803842.tif 000013
【図１３】
0004803842.tif 000014
【図１４】
0004803842.tif 000015